(57)【要約】【課題】    侵入者による窃盗行為を迅速に検知して、かかる窃盗行為をおこなった窃盗者をエレベータ籠内に閉じ込めることにより、建家内の安全性を確保することができるエレベータ装置を提供することにある。【解決手段】    使用者を搭乗させて各階へ移動させるためのエレベータ籠１と、エレベータ籠１を昇降させて所定の位置に駆動及び停止させるエレベータ昇降制御手段１０と、各階の設置されたエレベータ扉５の開閉を制御する扉開閉制御手段１１と、エレベータ昇降空間内に設置される金庫３と、を備えたエレベータ装置であって、扉開閉制御手段１１は、操作者が、金庫扉３ｂを開扉するための開扉動作を、予め記憶部１０ａで設定された所定回数誤って行なったときには、エレベータ扉５を閉扉状態とするものである。【選択図】  図２
2005335867.tif 000002
【特許請求の範囲】
【請求項１】
使用者を搭乗させて各階へ移動させるためのエレベータ籠と、前記エレベータ籠を昇降させて所定の位置に駆動及び停止させるエレベータ昇降制御手段と、各階に設置されたエレベータ扉の開閉を制御する扉開閉制御手段と、前記エレベータ籠内から金庫扉の開閉を行なう金庫と、を備えたエレベータ装置であって、
前記扉開閉制御手段は、操作者が、金庫扉を開扉するための開扉動作を、予め記憶部で設定された所定回数誤って行なったときには、前記エレベータ扉を閉扉状態とするものであることを特徴とするエレベータ装置。
【請求項２】
使用者を搭乗させて各階へ移動させるためのエレベータ籠と、前記エレベータ籠を昇降させて所定の位置に駆動及び停止させるエレベータ昇降制御手段と、各階の乗場間の壁面に設けられて前記エレベータ籠内から金庫扉の開閉を行なう金庫と、を備えたエレベータ装置であって、
前記エレベータ昇降制御手段は、操作者が、金庫扉を開扉するための開扉動作を、予め記憶部で設定された所定回数誤って行なったときには、前記エレベータ籠を駆動停止するものであることを特徴とするエレベータ装置。
【請求項３】
前記開扉動作が、認証動作であることを特徴とする請求項1もしくは請求項２のいずれかに記載のエレベータ装置。
【発明の詳細な説明】
【技術分野】
【０００１】
本発明は、エレベータ装置に関するものであり、より詳細には、金庫付エレベータ装置に関するものである。
【背景技術】
【０００２】
従来の金庫付エレベータ装置としては、図４に示すように、エレベータ籠１００を金庫移動制御手段によって所定量上昇させて、かご下のかご枠またはかご床に固着した金庫５０を開閉可能位置まで移動させ、また、暗証コード照会手段に入力される暗証コードによってのみ前記金庫移動制御手段を動作させて金庫の盗難対策を行うものが知られている。
【０００３】
このような金庫付エレベータ装置は、金庫をエレベータ装置のデッドスペースであるかご下のかご枠またはかご床に固着し、使用時に金庫移動制御手段によって、かごを所定量上昇させて金庫使用可能位置に移動させるので、金庫の存在を第三者に知られ難く、また、暗証コード照会手段によって金庫移動制御手段を動作させるため、第三者は容易に金庫を金庫使用可能位置に移動させることができない。さらに、金庫がかご枠またはかご床に固着させているので、容易に搬出することができず防犯機能を向上させることができる（特許文献１）。
【０００４】
しかし、このような金庫付エレベータ装置では、一旦エレベータ内に侵入させてしまうと、金庫の存在を確認できなかったり、金庫を開扉できなかった場合であっても、侵入者はエレベータ籠１００内から容易に逃げ出すことができるので、その他のエリアに侵入して窃盗行為が行なわれる場合が生じ得るといった問題点を有していた。
【特許文献１】実開平７−８１８６４号公報
【発明の開示】
【発明が解決しようとする課題】
【０００５】
本発明は、このような点に鑑みてなされたものであり、その目的とするところは、侵入者による窃盗行為を迅速に検知して、かかる窃盗行為をおこなった窃盗者をエレベータ籠内に閉じ込めることにより、建家内の安全性を確保することができるエレベータ装置を提供することである。
【課題を解決するための手段】
【０００６】
上記した課題を解決するために、本発明の請求項１に係るエレベータ装置は、使用者を搭乗させて各階へ移動させるためのエレベータ籠と、前記エレベータ籠を昇降させて所定の位置に駆動及び停止させるエレベータ昇降制御手段と、各階に設置されたエレベータ扉の開閉を制御する扉開閉制御手段と、前記エレベータ籠内から金庫扉の開閉を行なう金庫と、を備えたエレベータ装置であって、前記扉開閉制御手段は、操作者が、金庫扉を開扉するための開扉動作を、予め記憶部で設定された所定回数誤って行なったときには、前記エレベータ扉を閉扉状態とするものであることを特徴とする。
【０００７】
本発明の請求項２に係るエレベータ装置は、使用者を搭乗させて各階へ移動させるためのエレベータ籠と、前記エレベータ籠を昇降させて所定の位置に駆動及び停止させるエレベータ昇降制御手段と、各階の乗場間の壁面に設けられて前記エレベータ籠内から金庫扉の開閉を行なう金庫と、を備えたエレベータ装置であって、前記エレベータ昇降制御手段は、操作者が、金庫扉を開扉するための開扉動作を、予め記憶部で設定された所定回数誤って行なったときには、前記エレベータ籠を駆動停止するものであることを特徴とする。
【０００８】
本発明の請求項３に係るエレベータ装置は、前記開扉動作が、認証動作であることを特徴とする。
【発明の効果】
【０００９】
本発明の請求項１に係るエレベータ装置によると、扉の開閉を制御する扉開閉制御手段は、操作者が、予め記憶部で設定された所定回数誤って、金庫扉を開扉するための開扉動作を、予め記憶部で設定された所定回数誤って行なったときには、前記エレベータ扉を閉扉状態とするものであるので、侵入者が窃盗を行なう為に誤った金庫扉の開扉動作を迅速に検知してエレベータ籠内に侵入者を閉じ込めることができるので、建家内のその他のエリアで窃盗行為が行なわれることを防止することができ、安全性が一層確保される。
【００１０】
本発明の請求項２に係るエレベータ装置によると、エレベータ籠を昇降させて所定の位置に駆動及び停止させるエレベータ昇降制御手段は、操作者が、金庫扉を開扉するための開扉動作を、予め記憶部で設定された所定回数誤って行なったときには、前記エレベータ籠を駆動停止するものであるので、途中階である金庫前にエレベータ籠が停止したときのエレベータ籠内は閉空間となってエレベータ籠内に侵入者を閉じ込めることができる。そのため、建家内のその他のエリアで窃盗行為が行なわれることを防止することができ、安全性が一層確保される。
【００１１】
本発明の請求項３に係るエレベータ装置によると、上述した請求項１もしくは請求項２のいずれかの効果に加えて、前記開扉動作が、暗証番号の入力や指紋照合等身体的な特徴で確認する認証動作であるので、開扉を許された者のみが開扉を行なうことができ、それ以外のものの開扉を有効に防止することができる。
【発明を実施するための最良の形態】
【００１２】
本発明の実施形態を図１乃至３に基づいて説明する。図１及び図２において、１はエレベータ籠、１ａは床部、３、４、４０は金庫、３ａは収納部、３ｂは金庫扉、５はエレベータ扉、７は呼出ボタン、８は室内操作ボタン、１０はエレベータ昇降制御手段、１１はエレベータ扉開閉制御手段、１５はエレベータ昇降路、１６はスタンド、１７はガイドレール、１８は油圧ジャッキ、１９はプラットホーム、Ｗは壁面である。
【００１３】
図１は、本実施形態における建物内に設置されたエレベータ装置の外観を示す斜視図であり、図２は、本実施形態におけるエレベータ装置の概略を示す説明図である。
【００１４】
図１に示すように、使用者を搭乗させて各階へ移動させるためのエレベータ籠１は、建物（本実施形態においては３階建ての建物）内に上下階にわたって形成したエレベータ昇降路１５内に昇降自在に配置される。また、エレベータ昇降路１５の底部にスタンド１６が固着してあり、このスタンド１６に一対のガイドレール１７が立設してあり、また、このスタンド１６には伸縮自在な油圧ジャッキ１８の下端部が固着してある。伸縮自在な油圧ジャッキ１８のロッドの上端部はエレベータ籠１を載設して取り付けたプラットホーム１９に取り付けてある。また、プラットホーム１９にはガイド（図示せず）が設けてあってガイドレール１７にスライド自在に嵌め込んである。
【００１５】
エレベータ籠１の昇降制御は、図2に示すようなエレベータ昇降制御手段１０によって行なわれ、エレベータ昇降制御手段１０はエレベータ籠１の駆動手段と電気的に接続されて、エレベータ籠１を昇降させて各階の乗場扉に対応した位置に駆動及び停止させる。
【００１６】
図２に示すように、エレベータ籠１の床部１ａは略矩形の平板状部材であって、この床部１ａの下方には、貴重品を収納・保管するための金庫３が設置されている。金庫３は、開口を有した容器状の収納部３ａと、収納部３ａの開口に対して開閉自在に設置される金庫扉３ｂを有する。
【００１７】
この金庫扉３を開扉するための認証手段は、1〜6桁の数字を選び、暗証番号を入力し、ボタンを押して解錠するようなプッシュボタンタイプのものや、指紋照合等身体的な特徴で確認する認証動作によるものであることが好ましい。認証手段をこのようなものにすることにより、開扉を許された者のみが開扉を行なうことができ、それ以外のものの開扉を有効に防止することができる。
【００１８】
なお、金庫扉３を開扉するための認証手段は、上述したものに限定されるものではなく、ダイヤルを左右に回し、設定された数字で止めることを数回繰り返した後キーを差し込んで解錠するようなダイヤルタイプであってもよく、その他公知のキータイプのものを用いることも可能である。
【００１９】
また、金庫扉３ｂには、ロック状態の金庫扉３ｂを無理やり抉じ開けようとする場合等に、金庫扉３ｂに生じる荷重を計測するための荷重センサ（図示せず）が配置されている。この荷重センサは、エレベータ昇降制御手段１０と電気的に接続されて、計測値を電気信号としてエレベータ昇降制御手段１０に送信する。
【００２０】
金庫は、金庫３のような床部１ａの下方に設置されるものに限定されず、エレベータ籠１の昇降空間内に設置されるものであればよい。例えば、図２に示す金庫４のように、エレベータ籠１の籠室内の側壁面に設置されるものであってもよく、また、図１に示す金庫４０のような、各階の乗場間の壁面（本実施形態では2階と３階の間の壁面）に設けられるものであってもよい。
【００２１】
特に、金庫４０のような、各階の乗場間の壁面に設けられたものである場合には、エレベータ昇降制御手段１０は、図３のフローチャートに基づいて後述するような、操作者が、金庫扉３ｂを開扉するための開扉動作を、予め記憶部１０ａで設定された所定回数誤って行なったときには、エレベータ籠１の駆動が停止するよう、エレベータ籠１の駆動手段を制御する。このような構成にすることにより、途中階である金庫前にエレベータ籠が停止したときのエレベータ籠１内は閉空間となってエレベータ籠１内に侵入者を閉じ込めることができる。そのため、建家内のその他のエリアで窃盗行為が行なわれることを防止することができ、安全性が一層確保される。
【００２２】
このエレベータ籠１は、籠室内の側壁面に移動する階を指定するための室内操作ボタン８が設置されている。この室内操作ボタン８は、一般のエレベータで使用されているような公知のものが用いられ、本実施形態に示すような３階建住宅用の場合、1〜３階への行き先を指定するか行き先階指定ボタンや、扉を開扉する開ボタン、閉扉する閉ボタン、開放状態にする開状態ボタン等が設けられている。また、上述のような各階の乗場間の壁面に金庫４０が設置されている場合には、各階の乗場間で停止するための専用のボタンが設けられる。この室内操作ボタン８は、エレベータ昇降制御手段１０に電気的に接続され、室内操作ボタン８からの入力信号に応じてエレベータ籠１の駆動制御を行なう。
【００２３】
また、この室内操作ボタン８に、金庫扉３ｂを開扉するための暗証番号入力用ボタンを設置してもよい。
【００２４】
エレベータの停止階の各階に設置されるエレベータ扉５は、開閉の為の駆動装置（図示せず）を有し、この駆動装置は扉開閉制御手段１１に電気的に接続され、この扉開閉制御手段１１によりエレベータ扉５の開閉が制御される。扉開閉制御手段１１は、エレベータ昇降制御手段１０と電気的に接続されて、エレベータ昇降制御手段１０が扉開閉制御手段１１を介してエレベータ扉５の開閉を制御することが可能に構成されている。
【００２５】
次に、金庫扉と連動したエレベータ昇降制御手段による制御動作を、図３に基づいて説明する。
【００２６】
エレベータ昇降制御手段１０の内部に備えられた記憶部１０ａには、金庫に荷重が生じる回数の初期設定値（Ｎ＝０）と、金庫の開扉作業を行なう操作者が金庫扉３ｂを抉じ開けようとしていると判断する回数（Ａ＝５）及び荷重（Ｆ0＝３０Ｎ）と、金庫の開扉作業を行なう操作者が開扉の認証者以外の操作であると判断する誤った認証動作の回数（Ｂ＝５）と、が予め設定されている（Ｓ１０１）。
【００２７】
金庫扉３ｂが閉扉状態であるときに、エレベータ籠１の搭乗者が金庫３を開けようとする際には、通常認証動作を行なうが、この認証動作を行なう前に金庫扉３ｂに、記憶部１０ａで予め設定した以上の荷重（本実施形態に場合は３０Ｎ以上）が発生するかを判断する（Ｓ１０２）。
【００２８】
そして、記憶部１０ａで予め設定した以上の荷重が検出された回数をカウントし（Ｓ１０３）、この回数が、予め記憶部１０ａに設置した回数（本実施形態に場合は５回）より多い場合は、操作者が金庫扉３ｂを抉じ開けていると判断し（Ｓ１０５）、扉開閉制御手段１１にてエレベータ扉５を閉扉状態のままロックする（Ｓ１０６）。
【００２９】
このとき同時に、オプション設定によって、警報機を作動させて居住者に通知するようにしたり（Ｓ１１３）、さらには、各階の途中までエレベータ籠１を移動させて、操作者がエレベータ扉を抉じ開けて、エレベータ籠１内から脱出するのを防止したり（Ｓ１１４）、予め設定した連絡先に通報する（Ｓ１１５）ようにすることができる。
【００３０】
金庫扉３ｂに、記憶部１０ａで予め設定した以上の荷重（本実施形態に場合は３０Ｎ以上）が発生しない場合には、操作者が上述したような金庫扉３ｂを開扉するための認証動作を行ない（Ｓ１０７）、この認証動作が適正かの判断を行なう（Ｓ１０８）。
【００３１】
この認証動作が適正なものであれば、金庫扉３ｂは開錠する（Ｓ１１２）が、認証動作が適正なものでない場合は、その回数をカウントし（Ｓ１０９）、この回数が、予め記憶部１０ａに設置した回数（本実施形態に場合は５回）より多い場合は、認証者以外の操作であると判断し（Ｓ１１０、Ｓ１１１）、扉開閉制御手段１１にてエレベータ扉５を閉扉状態のままロックする（Ｓ１０６）。この場合も、上述したようなＳ１１３〜Ｓ１１５のオプション設定を行なうことができる。
【００３２】
なお、認証動作が適正なものでないとカウントした回数が、予め記憶部１０ａに設置した回数（本実施形態に場合は５回）に満たない場合は、再度Ｓ１０２に戻り、抉じ開けているかの判断も再度おこなうようになっている。
【００３３】
以上のように、扉の開閉を制御する扉開閉制御手段１１は、操作者が、予め記憶部１０ａで設定された所定回数誤って、金庫扉３ｂを開扉するための開扉動作を行なったときには、エレベータ扉５を閉扉状態とするものである。そのため、侵入者が窃盗を行なう為に誤った金庫扉３ｂの開扉動作を迅速に検知してエレベータ籠１内に侵入者を閉じ込めることができるので、建家内のその他のエリアで窃盗行為が行なわれることを防止することができ、安全性が一層確保される。
【図面の簡単な説明】
【００３４】
【図１】本発明の実施形態における建物内に設置されたエレベータ装置の外観を示す斜視図である。
【図２】本発明の実施形態におけるエレベータ装置の概略を示す説明図である。
【図３】金庫扉と連動したエレベータ昇降制御手段による制御動作を説明するためのフローチャートである。
【図４】従来例の概略を示す説明図である。
【符号の説明】
【００３５】
１      エレベータ籠
３      金庫
３ｂ    金庫扉
５      エレベータ扉
１０    エレベータ昇降制御手段
１０ａ  記憶部
１１    扉開閉制御手段
【図１】
2005335867.tif 000003
【図２】
2005335867.tif 000004
【図３】
2005335867.tif 000005
【図４】
2005335867.tif 000006